(57)【要約】【課題】従来プレスキャンと本スキャンで取得されていた低解像度と高解像度の撮影画像が、できるだけ同じ読み取り条件で写真フィルムから読み取る技術を提供する。【解決手段】読取位置５２を通る共通の光軸を有する照明光学系２０と撮像光学系３０と光電変換部４０とからなる画像読取ユニットとこの画像読取ユニットを制御するモジュールを備えた写真フィルム用スキャナ１。搬送方向に関して読取位置の上流側に画像読み取りに先立って撮影画像コマの濃度情報を検出する濃度センサ３が備えられ、濃度情報に基づいて決定された読み取り条件に基づいて撮影画像コマ毎に前記制御モジュールが照明光学系の照射光量と撮像光学系の通過光量と光電変換部の電荷蓄積時間のうちの少なくとも１つを制御する。【選択図】        図８
2007036444.tif 000002
【特許請求の範囲】
【請求項１】
読取位置を通る共通の光軸を有する照明光学系と撮像光学系と光電変換部とからなる画像読取ユニットとこの画像読取ユニットを制御するモジュールを備え、前記読取位置を順次通過する写真フィルムの撮影画像コマから撮影画像を読み取る写真フィルム用スキャナにおいて、
前記写真フィルムを前記画像読取ユニットに投入する搬送方向に関して前記読取位置の上流側に前記画像読取ユニットによる画像読み取りに先立って撮影画像コマの濃度情報を検出する濃度センサが備えられ、当該撮影画像コマの読み取り条件を前記モジュールが前記濃度情報に基づいて決定し、前記読み取り条件に基づいて撮影画像コマ毎に前記モジュールが照明光学系の照射光量と撮像光学系の通過光量と光電変換部の電荷蓄積時間のうちの少なくとも１つを制御することを特徴とする写真フィルム用スキャナ。
【請求項２】
前記読取位置は単一であり、前記撮影画像コマを低解像度で読み取るプレスキャンモードと前記撮影画像コマを前記プレスキャンモードよりも高い高解像度で読み取る本スキャンモードの２つのスキャンモードが備えられ、同一の撮影画像コマは前記プレスキャンモードと前記本スキャンモードで共通の読み取り条件で読み取られることを特徴とする請求項１に記載の写真フィルム用スキャナ。
【請求項３】
前記撮影画像コマを高解像度で読み取る本スキャンモードのみで前記撮影画像コマが読み取られ、低解像度撮影画像は高解像度撮影画像から画像処理で生成されることを特徴とする請求項１に記載の写真フィルム用スキャナ。
【請求項４】
読取位置を通る共通の光軸を有する照明光学系と撮像光学系と光電変換部とからなる画像読取ユニットとこの画像読取ユニットを制御するモジュールを備え、前記読取位置を順次通過する写真フィルムの撮影画像コマから撮影画像を読み取る写真フィルム用スキャナのための撮影画像読取方法において、
前記読取位置に搬送される直前の撮影画像コマの濃度情報を検出し、
当該撮影画像コマの読み取り条件を前記検出された濃度情報に基づいて決定し、
前記決定された読み取り条件に基づいて前記モジュールが撮影画像コマ毎に照明光学系の照射光量と撮像光学系の通過光量と光電変換部の電荷蓄積時間のうちの少なくとも１つを制御し、
前記読取位置に達した当該撮影画像コマを前記読み取り条件通りに制御された画像読取ユニットが読み取る、
ことを特徴とする撮影画像読取方法。
【請求項５】
前記撮影画像コマを低解像度で読み取るプレスキャンモードと前記撮影画像コマを前記プレスキャンモードよりも高い高解像度で読み取る本スキャンモードの２つのスキャンモードにおいて、同一の撮影画像コマは同一の前記読み取り条件で読み取られることを特徴とする請求項４に記載の撮影画像読取方法。
【発明の詳細な説明】
【技術分野】
【０００１】
本発明は、読取位置を通る共通の光軸を有する照明光学系と撮像光学系と光電変換部とからなる画像読取ユニットとこの画像読取ユニットを制御するモジュールを備え、前記読取位置を順次通過する写真フィルムの撮影画像コマから撮影画像を読み取る写真フィルム用スキャナと、このような写真フィルムスキャナのための撮影画像読取方法に関する。
【背景技術】
【０００２】
従来のこのような写真フィルムスキャナは、現像済みの写真フィルムの撮影画像コマを読み取るためのライン走査型の光電変換センサとその写真フィルムとを相対移動させることにより、プレジャッジ画像のモニタ表示目的ために撮影画像コマを低解像度で読み取るプレスキャンとプリント目的のために撮影画像コマを高解像度で読み取る本スキャンが行われるように構成されており、写真プリントを出力する写真プリント装置に組み込まれている。写真プリント装置では、プレスキャンにおいて読み取られた撮影画像コマの画像がモニタに表示され、オペレータはその表示された画像をみて、適切なプリント仕上がりになるように、必要に応じて色・濃度の補正情報を入力する。このような工程がプレジャッジ作業工程と呼ばれる。本スキャンはプリントデータとして用いられる高解像度の画像データを取得するためのものであり、この本スキャンで取得された高解像度画像データはプレジャッジ工程で入力された補正情報に基づいて画像処理され、プリントデータに変換される。
【０００３】
光電変換センサによって写真フィルムから撮影画像を取得した場合実際のフィルム上での撮影画像濃度（入力濃度値）とデジタル化された撮影画像の濃度（出力濃度値）との関係は傾き１の直線で表されるのが理想的であるが、実際には高濃度領域や低濃度領域においてその直線性が崩れてしまう。このため、このような光電変換センサを用いた撮影画像のデジタル化では、直線性を維持している領域のみを利用することが重要である。これを実現するには、写真フィルムに形成されている撮影画像の濃度レベルに応じて写真フィルムに照射する光の光量を調節したり、光電変換センサの電荷蓄積時間を調節したりするとよい。このためには予め写真フィルムの撮影画像コマを濃度測定する必要があるので、撮影画像が記録された写真フィルムをその撮影画像がプレスキャン用読取位置及びファインスキャン（本スキャン）用読取位置を順次通過するように搬送する搬送手段と、前記プレスキャン用読取位置で前記画像に光を照射するプレスキャン用光源を備えると共に前記撮影画像を透過した光又は前記撮影画像から反射された光に基づいて、測光条件を固定して前記撮影画像を読み取って画像データとして出力するプレスキャン用画像センサを備えたプレスキャン用測光系と、前記ファインスキャン用読取位置で前記撮影画像に光を照射するファインスキャン用光源を備えると共に前記撮影画像を透過した光又は前記画像から反射された光に基づいて前記撮影画像を読み取って画像データとして出力する電荷蓄積型のファインスキャン用画像センサを備えたファインスキャン用測光系と、前記プレスキャン用画像センサから出力された画像データに基づいて前記ファインスキャン用光源から照射される光の光量及び前記ファインスキャン用画像センサの電荷蓄積時間の少なくとも一方を変化させて前記撮影画像を読み取るように前記ファインスキャン用測光系を制御する制御手段とを備えている画像読取装置が提案されている（例えば、特許文献１参照。）。この提案によれば、プレスキャンで得られた画像データに基づいてファインスキャン用光源の光量及びファインスキャン用画像センサの電荷蓄積時間の少なくとも一方を変化させることで、各測光系の構成が複雑となることを避けている。
【特許文献１】特開２０００−１４７６７４号公報（段落番号０００９−００１５、００９９、図２、図７）
【発明の開示】
【発明が解決しようとする課題】
【０００４】
最近の写真プリント装置では、プレスキャンで取得された撮影画像を画質チェックや補正パラメータの決定などに利用するため、プレスキャンで取得された低解像度の撮影画像の画像品質の向上、及びプレスキャンで取得された高解像度の撮影画像と本スキャンで取得された撮影画像の一致性も要求されるようになってきている。このため、特許文献１による技術のように、プレスキャンと本スキャンで異なる読み取り条件（照射光量や電荷蓄積時間）が異なることは好ましくない。
上記実状に鑑み、本発明の課題は、従来プレスキャンと本スキャンで取得されていた低解像度と高解像度の撮影画像が、できるだけ同じ読み取り条件で写真フィルムから読み取る写真フィルム用スキャナと撮影画像読取方法を提供することである。
【課題を解決するための手段】
【０００５】
上記課題を解決するため、読取位置を通る共通の光軸を有する照明光学系と撮像光学系と光電変換部とからなる画像読取ユニットとこの画像読取ユニットを制御するモジュールを備え、前記読取位置を順次通過する写真フィルムの撮影画像コマから撮影画像を読み取る、本発明による写真フィルム用スキャナでは、前記写真フィルムを前記画像読取ユニットに投入する搬送方向に関して前記読取位置の上流側に前記画像読取ユニットによる画像読み取りに先立って撮影画像コマの濃度情報を検出する濃度センサが備えられ、当該撮影画像コマの読み取り条件を前記モジュールが前記濃度情報に基づいて決定し、前記読み取り条件に基づいて撮影画像コマ毎に前記モジュールが照明光学系の照射光量と撮像光学系の通過光量と光電変換部の電荷蓄積時間のうちの少なくとも１つを制御するように構成されている。
【０００６】
この構成によれば、写真フィルムに形成されている撮影画像コマを画像読取ユニットで読み取ってデジタル化する前に、読取位置の手前にある濃度センサによって読取対象となっている撮影画像コマの濃度情報を検出し、この濃度情報から決定された読取条件に基づいて照明光学系の照射光量と撮像光学系の通過光量と光電変換部の電荷蓄積時間のうちの少なくとも１つが制御される。ここでいう読取条件とは、光電変換部の直線性ができるだけ維持できるような読取濃度が得られる照射光量や電荷蓄積時間を規定するものである。従って、各撮影画像コマ毎に決定される読取条件に基づいて調整された画像読取ユニットで順次読み取られた各撮影画像コマは安定した読取特性で保証されたデジタル化撮影画像となる。
【０００７】
本発明による好適な実施形態の１つでは、前記読取位置は単一であり、前記撮影画像コマを低解像度で読み取るプレスキャンモードと前記撮影画像コマを前記プレスキャンモードよりも高い高解像度で読み取る本スキャンモードの２つのスキャンモードが備えられ、同一の撮影画像コマは前記プレスキャンモードと前記本スキャンモードで共通の読み取り条件で読み取られる。本発明による写真フィルム用スキャナでは読取位置が単一であり、従って画像読取ユニットも単一であるので、この画像読取ユニットをプレスキャンモードと本スキャンモードで駆動させることにより、低解像度撮影画像データと高解像度撮影画像データを取得する。これらの２つのスキャンモードでの撮影画像コマ読み取りは、各撮影画像コマ毎に決定される読取条件に基づいて設定された画像読取ユニットによって行われる。プレスキャンを写真フィルムの往路搬送で行い、本スキャンを写真フィルムの復路搬送で行うことは、トータルスキャン時間の短縮に効果的である。その際、画像読取ユニットによる撮影画像コマの読み取りの前に順次得られた撮影画像コマ毎の読み取り条件は、プレスキャン時に用いるとともにメモリに順次格納し、本スキャン時には先入れ後出し方式でメモリから読み出しながら利用するとよい。
【０００８】
本発明による写真フィルム用スキャナは、前記撮影画像コマを高解像度で読み取る本スキャンモードのみで前記撮影画像コマを読み取る写真フィルム用スキャナにも適用されるが、その際には、低解像度撮影画像は高解像度撮影画像から画像処理で生成される。本スキャンのみの撮影画像コマの読み取りにおいても、画像読取ユニットによる撮影画像コマの読み取りの前にその読み取り対象となっている撮影画像コマの濃度測定に基づいて決定された読み取り条件で画像読取ユニットが調整されるので、本発明の利益を享受することができる。
【０００９】
上記課題を解決するために、本発明によって提案されている写真フィルム用スキャナのための撮影画像読取方法では、読取位置に搬送される直前の撮影画像コマの濃度情報を検出し、当該撮影画像コマの読み取り条件を前記検出された濃度情報に基づいて決定し、前記決定された読み取り条件に基づいて前記モジュールが撮影画像コマ毎に照明光学系の照射光量と撮像光学系の通過光量と光電変換部の電荷蓄積時間のうちの少なくとも１つを制御し、前記読取位置に達した当該撮影画像コマを前記読み取り条件通りに制御された画像読取ユニットが読み取る。この方法においても、先の本発明による写真フィルム用スキャナにおいて述べた作用効果が得られる。また、この撮影画像読取方法においても、前記撮影画像コマを低解像度で読み取るプレスキャンモードと前記撮影画像コマを前記プレスキャンモードよりも高い高解像度で読み取る本スキャンモードの２つのスキャンモードが用意されている場合、単一の画像読取ユニットであっても、同一の撮影画像コマを同一の読み取り条件（照射光量や電荷蓄積時間）で読み取ることができ、実質的に同一な濃度特性をもつ高解像度撮影画像データと低解像度撮影画像データを得ることができる。
本発明によるその他の特徴及び利点は、以下図面を用いた実施形態の説明により明らかになるだろう。
【発明を実施するための最良の形態】
【００１０】
図１に、本発明による写真フィルム用スキャナ（以後単にスキャナと略称する）１を組み込んだ写真プリント装置の一例が模式的に示されている。この写真プリント装置には、スキャナ１の制御やスキャナ１によって取得された読取信号から生成された撮影画像データ（以下単に画像データと略称する）を処理するコントローラ６０や画像データから変換されたプリントデータに基づいて印画紙を露光・現像して写真プリントを出力するプリントステーション９０が備えられている。なお、ここでは、スキャナ１のための種々の機能要素が写真プリント装置のための他の機能要素とともにコントローラ６０に構築されているが、スキャナ１に専用コントローラを設けて、スキャナ１のための機能要素はその専用コントローラに構築してもよい。
【００１１】
スキャナ１は、画像読取ユニットとして、照明光学系２０、撮像光学系３０、ラインＣＣＤセンサを用いた光電変換部４０を備えるとともに、フィルム２に対する光の照射範囲を決定するとともにフィルム２を光電変換部４０によるスキャニングのために副走査方向に搬送するフィルムキャリアユニット５０を装着可能に備えている。このフィルムキャリアユニット５０は、１３５フィルムやＩＸ２４０フィルム（ＡＰＳフィルム）やブローニフィルムなどのフィルムの種類毎に用意されており、この実施形態では１３５フィルム用のフィルムキャリアユニット５０が装着されているとする。
【００１２】
フィルムキャリアユニット５０によって作り出されるフィルム搬送路と照明光学系２０からの光ビームの光軸とが交わる領域にはフィルム搬送方向を横断する方向（主走査方向）に延びている読取位置としてのスリット状のスキャンゲート５２が形成されている。さらに、フィルムキャリアユニット５０のフィルム投入部５０Ａとこのスキャンゲート５２との間に搬送されるフィルム２の各撮影画像コマの濃度値（濃度情報）を検出する濃度センサ３が設けられており、この濃度センサ３によって検出された濃度値はコントローラ６０に送られる。濃度センサ３は、フィルム搬送路を挟んで一方側に配置されるＬＥＤ素子などによる照明素子３ａと、他方側に配置されるフォトトランジスタなどによる受光素子によって構成される。濃度センサ３は、主走査方向に複数設けることにより、撮影画像コマ全体の濃度分布を検出できるように構成することが好ましいが、１個だけでも可能である。
【００１３】
照明光学系２０は、光源部２１と光源部２１からの光ビームを調整する平行化レンズ２２、ミラー２３、ＮＤフィルタ２４、ディフューザ２５などから構成されている。光源部２１は、主に赤色成分（以下単にＲと略称する）の光ビームを放射するＬＥＤ素子列からなるＲ光源２１ａと、主に緑色成分（以下単にＧと略称する）の光ビームを放射するＬＥＤ素子列からなるＧ光源２１ｂと、主に青色成分（以下単にＢと略称する）の光ビームを放射するＬＥＤ素子列からなるＢ光源２１ｃを備えている。フィルム２からの透過光ビームを処理する撮像光学系３０は、ズームレンズユニット３１とこの撮像光学系３０を通過して光電変換部４０に入射する光ビームの光量を制限する絞り３２から構成されているが、必要に応じて投射光の方向を変える方向変換光学系が追加される。
【００１４】
撮像光学系３０によって導かれた光ビームを光電変換する光電変換部４０は、Ｒ・Ｇ・Ｂの各色を検出するために割り当てられた、Ｒ光電変換センサ４１ａ、Ｇ光電変換センサ４１ｂ、Ｂ光電変換センサ４１ｃを備えており（色成分別に特に区別する必要がない場合には単に光電変換センサ４１となる）、この実施形態では各光電変換センサ４１は多数（例えば５０００個）のＣＣＤ素子が主走査方向、つまりフィルム２の幅方向に配列されるラインアレイ型のＣＣＤセンサであり、センサ駆動回路４２により主走査時に電荷蓄積動作や電荷蓄積時間の制御が行われる。このため、以後光電変換センサはＣＣＤセンサと言い換えることにする。
【００１５】
Ｒ・ＣＣＤセンサ４１ａの撮像面には写真フィルム（以下単位フィルムと略称する）２を透過した光の主に赤色成分のみを通過させるカラーフィルタが、Ｇ・ＣＣＤセンサ４１ｂの撮像面にはフィルム２を透過した光の主に緑色成分のみを通過させるカラーフィルタが、Ｂ・ＣＣＤセンサ４１ｃの撮像面にはフィルム２を透過した光の主に青色成分のみを通過させるカラーフィルタが設けられており、それぞれ、透過光のうちの赤色成分、緑色成分、青色成分のみを光電変換する。それぞれのＣＣＤセンサ４１から出力される各画素信号はサンプルホールドされ各画素信号が連続した画像信号となり、この各画素信号は所定のビット数（例えば１２ビット）のデジタル信号に変換される。このようにデジタル信号化された画像信号は画像データ（Ｒ・Ｇ・Ｂ輝度データ）としてコントローラ６０に送り込まれる。
【００１６】
このコントローラ６０にはプリントステーション９０が接続されているので、コントローラ６０内で処理された画像データに基づいて生成されたプリントデータによってレーザ露光エンジンを有する露光処理部が駆動されることでフィルム２の撮影画像コマに対応する写真プリントが出力される。もちろん、プリントステーション９０としてインクジェットプリントエンジンなどの異なるプリント出力方式のものを採用することができる。
【００１７】
次に、スキャナ１の具体的な構造を図２と図３を用いて説明する。
図２に示すように、照明光学系２０を下部に内蔵するとともに撮像光学系３０と光電変換部４０を上部に内蔵する筐体１０によりスキャナ１の外観が構築されており、筐体１０の中央部に形成されている凹部の下面にフィルムキャリアユニット５０が装着されるベース面１０ａが形成されている。
【００１８】
フィルムキャリアユニット５０は、フィルム読み取り作業の最初にフィルム１の先端が差し込まれるフィルム投入部５０Ａと主走査方向に延びている読取位置としてのスリット状のスキャンゲート５２が形成されたケース５１を備えるとともに、そのケース５１内に、写真フィルム２をフィルム搬送方向（副走査方向）に往復搬送するための複数の圧着型の搬送ローラ５３と、ベース面１０ａに対向している集光レンズ５４とを備えている。
【００１９】
照明光学系２０は、樹脂成形品で成る上壁部１１と、アルミニウム合金で成る側壁部１２と、同じくアルミニウム合金で成る底壁部１３とでケース状に形成されている。前記上壁部１１の内部には、基板にチップ状の多数の赤色のＬＥＤ素子を主走査方向に直線状に配列して構成されたＲ光源２１ａ（Ｒ−ＬＥＤ素子列）と、基板にチップ状の多数の緑色のＬＥＤ素子を主走査方向に直線状に配列して構成されたＧ光源（Ｇ−ＬＥＤ素子列）２１ｂと、基板にチップ状の多数の青色のＬＥＤ素子を主走査方向に直線状に配列して構成されたＢ光源（Ｂ−ＬＥＤ素子列）２１ｃとが取り付けられている。夫々のＬＥＤ素子列に対応する位置に夫々のＬＥＤ素子列からの光線を平行光線化する平行化レンズ２２を介して送り出された光ビームを合流させるダイクロイック型のミラー２３として第１ミラー２３ａと第２ミラー２３ｂが用意されている。
【００２０】
Ｇ光源２１ｂからの光ビームを上方に送る縦向き姿勢の第１光軸Ｌ１上に平行化レンズ２２と第１ミラー２３ａとが配置され、Ｂ光源２１ｃからの光ビームを上方に送る縦向き姿勢の第２光軸Ｌ２上に平行化レンズ２２と第２ミラー２３ｂとが配置され、Ｒ光源２１ａからの光ビームを水平方向に送る横向き姿勢の第３光軸Ｌ３上に平行化レンズ２２と前記第１・第２ミラー２３ａ、２３ｂとが位置するようになっている。また、第１光軸Ｌ１の延長上で上壁１１部の壁面の近傍位置には光線を拡散させて光量の分布を平均化させるディフューザ２５が配置されている。つまり、第１、第２、第３光軸Ｌ１、Ｌ２、Ｌ３は、各色の光源２１の形成方向（主走査方向）での中央位置で、かつ、基板に垂直となる仮想直線として設定されたものであり、第１光軸Ｌ１の延長上方にフィルムキャリアユニット５０の集光レンズ５４とスキャンゲート５２が位置し、第２光軸Ｌ２は第２ミラー２３ｂにおいて第３光軸Ｌ３と合流する位置となっている。
【００２１】
図３に示すように、第１光軸Ｌ１に沿って上方に送り出される光線の光量を低減する減光フィルタとしてのＮＤフィルタ２４がフィルムキャリアユニット５０の集光レンズ５４と向き合うように第１光軸Ｌ１上に選択的に位置決め可能に設けられている。このため、ＮＤフィルタ２４を支持する作動プレート１４と、この作動プレート１４に往復作動力を揺動アーム１５を介して伝える駆動部としての電気モータ１６が配置されている。このＮＤフィルタ２４を図３に示す如く照明光学系２０の光路中（第１光軸Ｌ１中）の減光位置にセットすることにより、照明光学系２０から送り出される光線の光量を大きく減じ、このＮＤフィルタ２４を光路外の待避位置に待避させることにより、照明光学系２０からの光ビーム全てを送り出せる。光源光量調整作業時などでは、ＣＣＤセンサに過大な光量が入り込まないようにする光量制限素子としてのＮＤフィルタ２４が光路中にセットされる。
【００２２】
なお、図３では、フィルム２がスキャンゲート５２の近傍位置に存在する状態を示しており、一般にはこの状態ではＮＤフィルタ２４が待避位置に設定されるべきものであるが、ＮＤフィルタ２４よって光量を制限する状態を理解しやすくするため、同図では、ＮＤフィルタ２４を減光位置にセットした状態を示している。
【００２３】
前記第１ミラー２３ａはＧ光源２１ｂからの波長（５２０〜５６０ｎｍ）の光線を透過し、これ以外の光線を反射する性能のものであり、前記第２ミラー２３ｂはＲ光源２１ａからの波長（６２０〜７５０ｎｍ）の光線を透過し、Ｂ光源２１ｃからの波長（４００〜４８０ｎｍ）の光線を反射する特性のものを使用している。
【００２４】
このような照明光学系２０のレイアウトから、Ｇ光源２１ｂから第１光軸Ｌ１に沿って送り出される光線は、平行化レンズ２２で平行光線化した後に、第１ミラー２３ａを透過
して第１光軸Ｌ１に沿って上方に送られ、Ｂ光源２１ｃから第２光軸Ｌ２に沿って送り出される光線は、平行化レンズ２２で平行光線化した後に、第２ミラー２３ｂで反射して第３光軸Ｌ３と合流し、Ｒ光源２１ａから第３光軸Ｌ３に沿って送り出される光線は、平行化レンズ２２で平行光線化した後に第２ミラー２３ｂを透過するものとなり、このように第３光軸Ｌ３に沿って送られる赤色成分の光ビームと、青色成分の光ビームとは第１ミラー２３ａで反射され、第１光軸Ｌ１に沿って上方に送られる結果、この第１光軸Ｌ１ではＲ・Ｇ・Ｂの各光ビームが合流した白色の光ビームが送られ、ディフューザ２５で拡散され、スキャンゲート５２に導かれる。
【００２５】
このスキャナ１でスキャニングを行う際には、取り込む画像の画素数に基づいてズームレンズ３１による拡大率（主走査方向での画素数）を設定し、取り込む画像の画素数に基づいて搬送速度（副走査方向での画素数）を設定した後に、フィルムキャリアユニット５０にフィルム２をセットし、フィルム２に対して照明光学系２０からの光ビームを照射する状態で、搬送ローラ５３の駆動でフィルム２を設定された速度で搬送し、この搬送速度と同期したタイミングで光電変換部４０の各ＣＣＤセンサ４１において主走査方向に沿うライン状に画像を取り込み、画像データ（輝度データ）として取得され、コントローラ６０に送り込まれる。送り込まれた画像データ、つまりＲ画像データとＧ画像データとＢ画像データに対しては、前処理を経て種々の画像処理が施される。
【００２６】
コントローラ６０は、ＣＰＵを中核部材として、種々の動作を行うための機能部をハードウエア又はソフトウエアあるいはその両方で構築しているが、図４に示すように、スキャナ１に関連するものとして、スキャナ１の光電変換部４０から送られてくる読取信号としての画像データをメモリ６１に展開する画像入力部６２と、フィルムキャリアユニット５０の搬送ローラ５３の制御や光電変換部４０の駆動制御を含むスキャナ１のスキャニング動作を制御することでプレスキャンモードと本スキャンモードでフィルムスキャナ２を駆動させるスキャニング制御部６３と、スキャナ１の濃度センサ３から送られてくる検出信号をＩ／Ｏインターフェースを介して受け取って、撮影画像コマ単位の濃度情報として取り扱う濃度情報評価モジュール７０と、スキャナ１の照明光学系２０や撮像光学系３０や光電変換部４０における照射光量や受光光量に関する制御を行う制御モジュール８０などが挙げられる。さらに、スキャナ１に直接関係しない機能要素として、このコントローラ６０には、多数コマ表示された低解像度の撮影コマ画像を見ながら各撮影画像コマの画像データに対してオペレータの指令に基づいて画像処理コマンドやプリント枚数などの属性データを付与するプレジャッジ管理モジュール６４、キーボードやマウスなどの操作入力部４を通じての操作入力信号に対応する画像処理コマンドなどの操作コマンドを割り当てる操作入力処理部６５、プレジャッジ時に補正対象撮影コマの画像をモニタ５に表示するビデオ制御部６６と、本スキャンモードで取り込まれた高解像度画像データに対して種々の画像処理を行う画像処理部６７、最終的に得られた撮影画像のための高解像度の画像データをプリントステーション９０の露光処理部（プリントエンジンの一例）９１に対応するプリントデータに変換生成するプリントデータ生成部６８などが構築されている。
【００２７】
濃度情報評価モジュール７０には、濃度センサ３を通じて取得した撮影画像コマ毎の濃度分布から、その最大値、平均値、最小値といった統計学上の数値（代表値）の少なくとも１つを演算する濃度代表値演算部７１と、演算によって得られた濃度代表値からスキャナ１の読み取り条件である照射光量又は電荷蓄積時間あるいはその両方を決定する読み取り条件決定部７２と、プレスキャン前に決定された撮影画像コマに対する読み取り条件をプレスキャン時に反映させるために順次各読み取り条件を制御モジュール８０に転送するとともに続く本スキャン時にもこの読み取り条件を制御モジュール８０に転送するためにこの読み取り条件を読み取り条件格納部７４に格納する読み取り条件転送部７３とが構築されている。
【００２８】
制御モジュール８０には、シェーディング補正テーブル８２に記録されている補正量を参照しながら照明光学系２０の照明光源を調節する光量制御部８１と、撮像光学系３０を通過する光ビームの光量を制限する絞り３２の絞り量を調節する絞り制御部８３と、光電変換部４０の蓄積時間を調節する蓄積時間制御部８４とが構築されている。プレスキャン時及び本スキャン時には、光量制御部８１と絞り制御部８３と蓄積時間制御部８４のうちの少なくとも１つは、読み取るべき撮影画像コマために濃度情報評価モジュール７０から与えられる読み取り条件に基づいて、それぞれの調整動作を行うことで、該当撮影画像コマに適した光量と蓄積時間でもって該当撮影画像コマが読み取られる。
【００２９】
前記プレジャッジ管理モジュール６４には、プレスキャンモードで取り込まれた低解像度画像データ（プレスキャン画像データ）から濃度差を考慮してコマ位置を示すコマ位置データを生成するとともにこのコマ位置データを用いてフィルム全体をカバーするプレスキャン画像データからコマ画像単位のプレジャッジ用画像データを作り出すプレジャッジ画像処理部６４ａ、プレジャッジ用画像データから予想されるプリント出力画像に対応するシミュレート画像データを使用されているモニタ５や露光処理部９１などの色出力特性を格納している機器特性テーブルを参照しながら生成するシミュレート画像生成部６４ｂ、プレジャッジ時に操作入力処理部６５を通じて各コマ画像に設定された画像処理コマンドあるいは画像処理コマンド列を管理する画像処理コマンド列管理部６４ｃが備えられている。
【００３０】
写真プリント装置において、現像済みのフィルム２から撮影画像コマをスキャナ１を用いて読み取り、写真プリントを出力する際のこの処理手順が図５〜図７のフローチャートに、そしてその際に決定される撮影画像コマ単位の読み取り条件とこの読み取り条件下で読み取られた撮影画像コマ単位の画像データの流れが図８に示されている。
まず、顧客から受けたプリントオーダの内容から必要な情報、例えばプリント枚数やプリントサイズなどを入力する（＃１０）。写真プリント装置の各種制御パラメータを規定している制御チャンネルを入力されたプリントオーダ情報に基づいて設定する（＃２０）。制御チャンネルに含まれる制御パラメータとしては使用する印画紙のメーカや種別、作成すべき写真プリントのプリントサイズなどが挙げられる。処理対象となるフィルム２をスキャナ１に装着されているフィルムキャリアユニット５０のフィルム投入部５０Ａに投入して濃度センサ３による濃度検出を行った撮影画像コマから順次プレスキャンを行う（＃３０）。
【００３１】
プレスキャンプロセスでは、図６に示されているように、まず最初の撮影画像コマの濃度を濃度センサ３を用いて測定する（＃３１）。濃度センサ３から送られてきた濃度データから濃度代表値演算部７１がこの撮影画像コマの濃度代表値を演算し、この濃度代表値に基づいて読み取り条件決定部７２が読み取り条件、例えば適正光源光量値や適正電荷蓄積時間を決定する（＃３２）。決定された読み取り条件は読み取り条件転送部７３によって制御モジュール８０に転送され、光量制御部８１と絞り制御部８３と蓄積時間制御部８４のうちの少なくとも１つを調整することで該当読み取り条件にスキャナ１が設定される（＃３３）。続いて、読取位置であるスキャンゲート５２に達した撮影画像コマを低解像度（例えば、２５６x３８４ピクセル）で読み取る（＃３４）。このようなステップ＃３１からステップ＃３４までのルーチンをフィルム２に含まれている全ての撮影コマ画像に対して実行され、全ての撮影コマ画像のプレスキャンが終了すると、このプレスキャンサブルーチンから元のメインルーチンに戻る。なお、ステップ＃３３において読み取り条件転送部７３が読み取り条件を制御モジュール８０に送るとともに、この読み取り条件を順次読み取り条件格納部７３に格納していく。この読み取り条件は先入れ後出し方式で読み出され、本スキャン時に利用されるので、読み取り条件格納部７３はスタック方式のメモリで構成されるとよい。
【００３２】
プレスキャンが終わると、それ自体はよく知られているプレジャッジ作業が行われるととともに、プレジャッジ作業においてプリント開始が確定された撮影画像コマは本スキャンされる。まず、プレスキャンで取得された低解像度の画像データを用いてプレジャッジ画像データが作成される（＃４０）。プレジャッジ画像データはプレスキャン画像データから周辺領域との濃度差と予め知られているコマ画像サイズに基づいて各コマ画像に相当するエリアを切り取ることによって得られる。プレジャッジ画像データが得られるとモニタ５にプレジャッジ画像を表示しながら、プレジャッジ作業が行われ、必要に応じて、補正処理コマンドが設定される（＃６０）。プレジャッジ作業においてプリント開始が確定された撮影画像コマが生じると（＃７０Yes分岐）本スキャンプロセスが開始される。
【００３３】
本スキャンプロセスでは、図８に示されているように、フィルム２から撮影画像コマを読み取る方向はプレスキャンプロセスの反対となる。つまり、フィルム２をプレスキャンとは逆の方向に搬送しながら本スキャンが行われる。これは、この実施形態では、プレスキャン時のフィルム搬送方向を往路とすると本スキャン時のフィルム搬送方向は復路となっているからである。このため、図８から読み取れるように、読み取り条件転送部７３は、読み取り条件格納部７４から先入れ後出し方式で読み取り条件を読み出す（＃８１）。読み出された読み取り条件は制御モジュール８０に転送され、光量制御部８１と絞り制御部８３と蓄積時間制御部８４のうちの少なくとも１つを調整することで該当読み取り条件にスキャナ１が設定される（＃８２）。続いて、読取位置であるスキャンゲート５２に達した撮影画像コマを高解像度（例えば、２０４８x３０７２ピクセル）で読み取る（＃３４）。このようなステップ＃８１からステップ＃８３までのルーチンはプレジャッジ作業でプリントすべきと決定された全ての撮影コマ画像に対して実行される。続くプリント処理プロセスでは、プレジャッジ作業で設定された補正処理コマンドに基づく画像処理は本スキャンで得られた対応する高解像度のコマ画像データに対して画像処理部６７で行われ、画像処理済みのコマ画像データはプリントデータに変換され、プリントステーション９０の露光処理部９１に送られ、そこで印画紙に対して撮影画像の露光が行われ、現像処理を経て写真プリントが作成される（＃９０）。
【００３４】
上記の実施の形態では、プレスキャン時にはフィルムの第１方向の移動、つまり往路移動によってフィルム２に含まれている撮影画像コマを読み取り、本スキャン時には第１方向とは逆の移動、つまり復路移動によって撮影画像コマを読み取っていたが、本スキャンの前にフィルム２を巻き戻し、再度第１方向移動、つまり往路移動によって撮影画像コマを読み取る構成を採用してもよい。この場合、本スキャン時において読み取り条件格納部７４から読み取り条件を読み出す方式は先入れ先出し方式となる。
【００３５】
さらに上記の実施の形態では、低解像度の画像データをプレスキャンで読み取り、高解像度の画像データを本スキャンで読み取っていたが、撮影画像コマを高解像度で読み取る本スキャンモードのみで撮影画像コマを読み取り、低解像度撮影画像は高解像度撮影画像から画像処理で生成する構成を採用してもよい。この場合、濃度情報の取得と濃度情報に基づく読み取り条件の決定は本スキャン時の各撮影画像コマの読み取り前に順次実施される。
【００３６】
また、スキャナ１としてラインＣＣＤセンサを用いたものを取り上げたが、エリアＣＣＤセンサを用いてもよいし、光電変換センサとしてＣＣＤ以外のタイプ、例えばＣＭＯＳセンサを用いてもよい。ここで重要なことは、各撮影画像コマの読み取り、特にプレスキャンに先だって各撮影画像コマの濃度情報を取得して、その撮影画像コマを読み取る際のスキャナ２の読み取り条件をその都度設定し直すことである。
【図面の簡単な説明】
【００３７】
【図１】本発明による写真フィルム用スキャナを組み込んだ写真プリント装置の一例を模式的に示す模式図
【図２】図１による写真プリント装置に用いられたスキャナの外観を示す斜視図
【図３】スキャナの照明光学系を示す断面図
【図４】写真プリント装置のコントローラ内に構築された主要な機能要素を説明する機能ブロック図
【図５】写真フィルムから撮影画像コマを読み込んで、写真プリントを出力するプリント処理を示すフローチャート
【図６】濃度検出を含むプレスキャンプロセスを示すフローチャート
【図７】本スキャンプロセスを示すフローチャート
【図８】スキャナによって読み取られた撮影画像コマ単位の画像データの流れを示す説明図
【符号の説明】
【００３８】
１：フィルムスキャナ（スキャナ）
２０：照明光学系
２４：ＮＤフィルタ（減光フィルタ）
３０：撮像光学系
４０：光電変換部
５２：スキャンゲート（読取位置）
６０：コントローラ
６３：スキャニング制御部
７０：濃度情報評価モジュール
７１：濃度代表値演算部
７２：読み取り条件決定部
７３：読み取り条件転送部
７４：読み取り条件格納部
８０：制御モジュール
８１：光量制御部
８２：絞り制御部
８３：蓄積時間制御部
【図１】
2007036444.tif 000003
【図２】
2007036444.tif 000004
【図３】
2007036444.tif 000005
【図４】
2007036444.tif 000006
【図５】
2007036444.tif 000007
【図６】
2007036444.tif 000008
【図７】
2007036444.tif 000009
【図８】
2007036444.tif 000010